(57)【要約】    【課題】  装置に設けられたカバー類を開けた際の危険を防ぐとともに印字ヘッドの乾燥を防ぐ。    【解決手段】  前カバー（インクカートリッジ交換用カバー）が開けられたことをセンサ３６により検知したら（Ｓ１）、キャリッジをホームポジションに戻し（Ｓ２）、用紙搬送系の２４Ｖ電源をＯＦＦする（Ｓ３）。さらに、エンジン部を覆うカバーが開けられたことをセンサ３７により検知したら（Ｓ４）、エンジン部の３７Ｖ電源をＯＦＦする（Ｓ５）。これにより、ジャム処理用カバーを開けても搬送ローラ等は停止しており、指などを挟まれることがない。また、エンジン部のカバーを開けても感電することがない。さらに、キャリッジがホームポジションに戻るので、ノズルの乾燥が防止される。    【選択図】      図６
2006062122.tif 000002
【特許請求の範囲】
【請求項１】
印字ヘッドを搭載して主走査方向に移動可能なキャリッジと、外装カバーと、該外装カバーの開閉状態を検知する検知手段とを備えたインクジェット記録装置において、
前記検知手段により前記外装カバーが開けられたことを検知した場合に、前記キャリッジをホームポジションに戻すことを特徴とするインクジェット記録装置。
【請求項２】
前記外装カバーが装置の非可動部を覆うカバーであることを特徴とする、請求項１に記載のインクジェット記録装置。
【請求項３】
前記外装カバーがインクカートリッジ交換用のカバーであることを特徴とする、請求項１又は２に記載のインクジェット記録装置。
【請求項４】
前記インクカートリッジが前記印字ヘッドとは別に搭載され、前記外装カバーがインクカートリッジの装着部を覆うカバーであることを特徴とする、請求項３に記載のインクジェット記録装置。
【請求項５】
用紙搬送路の少なくとも一部を開放する搬送部カバーを有し、前記外装カバーが開けられると用紙搬送系の電源をＯＦＦすることを特徴とする、請求項１〜４のいずれか１項に記載のインクジェット記録装置。
【請求項６】
前記外装カバーを開けることにより前記搬送部カバーの開放が可能になることを特徴とする、請求項５に記載のインクジェット記録装置。
【請求項７】
前記外装カバーは、前記搬送部カバーの一部を外側から押さえる押圧部を有し、該外装カバーを開けることによって前記搬送部カバーの開放が可能になることを特徴とする、請求項６に記載のインクジェット記録装置。
【請求項８】
前記搬送部カバーを閉めることにより前記外装カバーの閉鎖が可能となることを特徴とする、請求項６に記載のインクジェット記録装置。
【請求項９】
前記外装カバーが当接して外装カバーを閉鎖不可とする当接位置と、前記外装カバーが当接せずに外装カバーを閉鎖可能とする退避位置とに移動可能な部材を有し、
前記搬送部カバーを閉めることにより前記移動可能な部材が前記退避位置に移動され、前記搬送部カバーを開放することにより前記移動可能な部材が前記当接位置に移動することを特徴とする、請求項８に記載のインクジェット記録装置。
【請求項１０】
インクジェットエンジン部の少なくとも一部を開放するエンジン部カバーを有し、該エンジン部カバーが開けられたときにエンジン部の電源をＯＦＦすることを特徴とする、請求項１〜９のいずれか１項に記載のインクジェット記録装置。
【請求項１１】
インクジェットエンジン部の少なくとも一部を開放するエンジン部カバーを有し、該エンジン部カバーが開けられたときにエンジン部の電源をＯＦＦするとともに、
前記外装カバー、前記搬送部カバー、前記エンジン部カバーの順に開放が可能となるカバー開放の順序付けがなされていることを特徴とする、請求項５に記載のインクジェット記録装置。
【請求項１２】
前記エンジン部カバーを開けたときには前記キャリッジがホームポジションに戻っていることを特徴とする、請求項１１に記載のインクジェット記録装置。
【請求項１３】
給紙部からインクジェットエンジン部に到る用紙搬送路及びインクジェットエンジン部の一部を開放するサイドカバーを有し、該サイドカバーが開けられた場合に前記キャリッジをホームポジションに戻すことを特徴とする、請求項１〜１２のいずれか１項に記載のインクジェット記録装置。
【請求項１４】
前記サイドカバーの開放から所定時間経過後にエンジン部の電源をＯＦＦすることを特徴とする、請求項１３に記載のインクジェット記録装置。
【請求項１５】
前記所定時間が、前記キャリッジがホームポジションに帰還可能な時間であることを特徴とする、請求項１４に記載のインクジェット記録装置。
【請求項１６】
印字ヘッドを搭載して主走査方向に移動可能なキャリッジと、インクカートリッジ装着部を開放するための外装カバーと、該外装カバーの開閉状態を検知する検知手段とを備えたインクジェット記録装置の制御方法において、
前記検知手段により前記外装カバーが開けられたことを検知した場合に、前記キャリッジをホームポジションに戻すことを特徴とするインクジェット記録装置の制御方法。
【請求項１７】
インクジェット記録装置がジャム処理用カバーを有し、前記外装カバーが開けられた場合に、用紙搬送系の電源をＯＦＦすることを特徴とする、請求項１６に記載のインクジェット記録装置の制御方法。
【請求項１８】
インクジェット記録装置がエンジン部の少なくとも一部を開放するエンジン部カバーを有し、該エンジン部カバーが開けられたときにエンジン部の電源をＯＦＦすることを特徴とする、請求項１６又は１７に記載のインクジェット記録装置の制御方法。
【発明の詳細な説明】
【技術分野】
【０００１】
本発明は、インクジェット方式の記録装置及びその制御方法に関し、さらに詳しく言えば、装置に設けられたカバー類を開けた際の危険を防ぐとともに印字ヘッドの乾燥を防ぐことのできるインクジェット記録装置及びその制御方法に関するものである。
【背景技術】
【０００２】
【特許文献１】特開２００３−４８３３０号公報
【特許文献２】特開平９−２００１７号公報
【０００３】
インクジェット方式の記録装置においては、印字ヘッドのノズルの乾燥を防止する必要があるため、印刷動作を行わない時にはヘッドを搭載するキャリッジをホームポジションに位置させ、ヘッドをキャッピング手段で覆うように構成されている。
【０００４】
また、従来のインクジェット記録装置においては、インクカートリッジの交換作業を容易にするため、カートリッジ交換ボタンが押されたり、装置のカバー類が開けられたときにキャリッジをホームポジションから交換ポジションに移動させるものがある。
【０００５】
例えば、上記特許文献１には、ユーザが操作ボタンを押して印刷モードからメンテナンスモードに切り替えることにより、キャリッジがホームポジションから交換ポジションに移動し、カバーが開放可能となることが記載されている（段落００３０）。
【０００６】
また、上記特許文献２には、インク残量が一定以下となった状態で装置のカバーが開けられるとキャリッジをホームポジションから交換ポジションに移動させることが記載されている（請求項４）。
【発明の開示】
【発明が解決しようとする課題】
【０００７】
しかしながら、インクカートリッジを交換するため、あるいはジャム処理のために装置カバーを開けたときに、装置構成によっては用紙搬送部や記録部に手が届いてしまうものがあり、手指に怪我をしたり感電する恐れがあるという問題があった。
【０００８】
また、装置カバーが開いてキャリッジが交換ポジションに位置した状態で放置されると、印字ヘッドのノズルが乾燥してしまうという問題もある。
【０００９】
本発明は、従来のインクジェット記録装置における上述の問題を解決し、装置に設けられたカバー類を開けた際の危険を防ぐとともに印字ヘッドの乾燥を防ぐことのできるインクジェット記録装置及びその制御方法を提供することを課題とする。
【課題を解決するための手段】
【００１０】
前記の課題は、本発明により、印字ヘッドを搭載して主走査方向に移動可能なキャリッジと、外装カバーと、該外装カバーの開閉状態を検知する検知手段とを備えたインクジェット記録装置において、前記検知手段により前記外装カバーが開けられたことを検知した場合に、前記キャリッジをホームポジションに戻すことにより解決される。
【００１１】
また、前記外装カバーが装置の非可動部を覆うカバーであると好ましい。
また、前記外装カバーがインクカートリッジ交換用のカバーであると好ましい。
また、前記インクカートリッジが前記印字ヘッドとは別に搭載され、前記外装カバーがインクカートリッジの装着部を覆うカバーであると好ましい。
【００１２】
また、用紙搬送路の少なくとも一部を開放する搬送部カバーを有し、前記外装カバーが開けられると用紙搬送系の電源をＯＦＦすると好ましい。
また、前記外装カバーを開けることにより前記搬送部カバーの開放が可能になると好ましい。
【００１３】
また、前記外装カバーは、前記搬送部カバーの一部を外側から押さえる押圧部を有し、該外装カバーを開けることによって前記搬送部カバーの開放が可能になると好ましい。
【００１４】
また、前記搬送部カバーを閉めることにより前記外装カバーの閉鎖が可能となると好ましい。
また、前記外装カバーが当接して外装カバーを閉鎖不可とする当接位置と、前記外装カバーが当接せずに外装カバーを閉鎖可能とする退避位置とに移動可能な部材を有し、前記搬送部カバーを閉めることにより前記移動可能な部材が前記退避位置に移動され、前記搬送部カバーを開放することにより前記移動可能な部材が前記当接位置に移動すると好ましい。
【００１５】
また、インクジェットエンジン部の少なくとも一部を開放するエンジン部カバーを有し、該エンジン部カバーが開けられたときにエンジン部の電源をＯＦＦすると好ましい。
【００１６】
また、インクジェットエンジン部の少なくとも一部を開放するエンジン部カバーを有し、該エンジン部カバーが開けられたときにエンジン部の電源をＯＦＦするとともに、前記外装カバー、前記搬送部カバー、前記エンジン部カバーの順に開放が可能となるカバー開放の順序付けがなされていると好ましい。
【００１７】
また、前記エンジン部カバーを開けたときには前記キャリッジがホームポジションに戻っていると好ましい。
また、給紙部からインクジェットエンジン部に到る用紙搬送路及びインクジェットエンジン部の一部を開放するサイドカバーを有し、該サイドカバーが開けられた場合に前記キャリッジをホームポジションに戻すと好ましい。
【００１８】
また、前記サイドカバーの開放から所定時間経過後にエンジン部の電源をＯＦＦすると好ましい。
また、前記所定時間が、前記キャリッジがホームポジションに帰還可能な時間であると好ましい。
【００１９】
また、前記の課題は、本発明により、印字ヘッドを搭載して主走査方向に移動可能なキャリッジと、インクカートリッジ装着部を開放するための外装カバーと、該外装カバーの開閉状態を検知する検知手段とを備えたインクジェット記録装置の制御方法において、前記検知手段により前記外装カバーが開けられたことを検知した場合に、前記キャリッジをホームポジションに戻すことにより解決される。
【００２０】
また、インクジェット記録装置がジャム処理用カバーを有し、前記外装カバーが開けられた場合に、用紙搬送系の電源をＯＦＦすると好ましい。
また、インクジェット記録装置がエンジン部の少なくとも一部を開放するエンジン部カバーを有し、該エンジン部カバーが開けられたときにエンジン部の電源をＯＦＦすると好ましい。
【発明の効果】
【００２１】
本発明のインクジェット記録装置及び制御方法によれば、外装カバーが開けられたことを検知した場合にキャリッジをホームポジションに戻すので、印字ヘッドのノズルの乾燥が防止される。
【００２２】
外装カバーを開けると用紙搬送系の電源がＯＦＦするように構成してやれば、搬送部カバーを開けても指を挟まれることがなく、ユーザの危険を防止できる。
【００２３】
外装カバー、搬送部カバー、エンジン部カバーの順に開放が可能となるカバー開放の順序付けをし、エンジン部カバーが開けられたときにエンジン部の電源をＯＦＦするように構成してやれば、用紙搬送部における危険及びエンジン部における危険を確実に防ぐことができる。
【００２４】
そして、エンジン部カバーを開けたときにはキャリッジがホームポジションに戻っているので、印字ヘッドのノズルの乾燥が確実に防止される。
【発明を実施するための最良の形態】
【００２５】
以下、本発明の実施の形態を図面に基づいて説明する。
図１は、本発明に係る記録装置の一例であるインクジェット複写装置の外観を示す斜視図であり、図２は、その内部構成を示す断面図である。これらの図に示すように、本例のインクジェット複写装置１００は、装置下部にプリンタ部２を、装置上部にスキャナ部３を配置し、間に排紙部４を設けた構成となっている。なお、プリンタ機能及びＦＡＸ機能を備えた複合機として構成することも可能である。
【００２６】
スキャナ部３は、コンタクトガラス３１の下方に走査手段３２が走行可能に配設されており、光源により照明された原稿からの反射光をミラー・レンズ等を介してＣＣＤ３３に導き、原稿画像の読み取りが行われる。コンタクトガラス３１の上方には、圧板３４が開閉可能に設けられている。
【００２７】
プリンタ部２は、下方に給紙部２１を配置し、その上部にはインクジェットエンジン２５やインクカートリッジ装着部３０が配置されている。給紙部２１では、転写紙等の記録媒体を収納する用紙カセット２２や、その用紙カセット２２から用紙を１枚ずつ給紙するための給紙手段２３等が設けられている。その給紙部２１から排紙部４に到る記録紙搬送路が図に一点鎖線で示すように形成され、その記録紙搬送路中の所定個所に搬送ローラ２４が適宜設置され、用紙は排紙ローラ２９により排紙トレイ４１上に排出される。
【００２８】
インクジェットエンジン２５は、静電吸着ベルト２６を用いた用紙搬送システムを採用しており、従来のローラ搬送方式に比べて安定した紙送りが可能である。キャリッジ２７は印字ヘッド２８を搭載し、主走査方向（図２の図面に垂直な方向）に往復移動して印字を行う。印字ヘッド２８は従来よりもワイドな１．２７インチのノズル列長を有し、本例ではシアン（Ｃ），マゼンタ（Ｍ），イエロー（Ｙ），ブラック（Ｂｋ）の各色毎に１ヘッドの４ヘッド構成である。ただしヘッド数はこれに限らず、２色で１ヘッドの２ヘッド構成等でも良い。
【００２９】
本例のインクジェット複写装置１００は各色インクカートリッジ３５を印字ヘッドとは別に搭載し、このカートリッジ３５内のインクが図示しない供給チューブを介して印字ヘッド２８に供給される。各色インクカートリッジをヘッドとは別に搭載する方式は、プリントの高速化に伴うインク消費の増大に対応する大容量タイプのカートリッジを使用可能であり、ビジネスユーズに適した方式である。また、本例では、消費量の大きい黒（Ｂｋ）用のインクカートリッジを２個装着でき、他のイエロー（Ｙ），マゼンタ（Ｍ），シアン（Ｃ）用のインクカートリッジとともに、計５個のインクカートリッジ３５がカートリッジ装着部３０にセットされている。
【００３０】
装置前面に設けられた前カバー５１は、各色インクカートリッジ３５を交換する際に開放する中折れ式のカバーで、図３に示すように、前カバー５１を開放するとカートリッジ装着部３０にセットされた各色インクカートリッジ３５があらわれる。前カバー５１の開閉状態を検知するためにセンサー３６（図２）が設けられている。
【００３１】
搬送カバー５２及びエンジンカバー５３は排紙トレイ４１の構成部材でもあり、プリンタ部２と排紙部４を仕切って配置されている。搬送カバー５２及びエンジンカバー５３を開放した様子を図３に示す。搬送カバー５２を開けるとエンジン部下流側の用紙搬送路へアクセスでき、また、エンジンカバー５３を開けるとインクジェットエンジン２５部の上面を開放させることができる。エンジン部下流側の用紙搬送路でジャムが発生した場合、搬送カバー５２及びエンジンカバー５３を開放してジャム処理を行なう。本例では、エンジンカバー５３の開閉状態を検知するためにセンサー３７（図２）が設けられている。
【００３２】
そして、サイドカバー５４を開放すると、給紙部２１からインクジェットエンジン２５までの用紙搬送路へアクセスでき、この部分でジャムが発生した場合は該サイドカバー５４を開放して処理を行なう。サイドカバー５４の開閉状態を検知するためにセンサー３８（図２）が設けられている。
【００３３】
図４は、インクジェットエンジン部２５の正面図で、図２の左方向から見たものである。したがって、図４の左側が装置の奥側、図４の右側が装置の前面側である。印字ヘッド２８（図２）を搭載するキャリッジ２７は、ガイドロッド１０に嵌装され、摺動自在に支持されている。そして、このキャリッジ２７を主走査方向に移動させるために、主走査モータ１１で回転駆動される駆動プーリ１２と従動プーリ１３との間にタイミングベルト１４を張設し、このタイミングベルト１４がキャリッジ２７に固定されている。そして、主走査モータ１１を正逆回転させることによりキャリッジ２７が図示矢印方向に往復駆動される。また、用紙を副走査方向に送るための静電吸着ベルト２６は、副走査モータ１５によってギヤ列等の任意の駆動系を介して回転駆動される。
【００３４】
本例のインクジェット複写装置１００では、インクジェットエンジン部２５の動作電圧は３７Ｖであり、上記主走査モータ１１及び副走査モータ１５は３７Ｖの電圧によって駆動される。一方、給紙部２１から排紙部４までの用紙搬送系の動作電圧は２４Ｖであり、給紙手段２３の給紙ローラ、搬送路に設けられた各搬送ローラ２４及び排紙ローラ２９等を駆動する搬送モータ（図示せず）は、２４Ｖの電圧によって駆動される。なお、装置動作電圧については上記３７Ｖと２４Ｖに限定されるものではなく、任意の動作電圧を使用できる。また、３種類以上の電圧値を使用するものでも良い。本例の装置でも、例えば前カバー５１や搬送カバー５２等の各種カバーの開閉を検知するセンサー類は動作電圧５Ｖとしている。また、負荷の状態等により電圧は振れる（変動する）ため、固定値に限定されるものでもない。
【００３５】
図４に戻り、キャリッジ２７の移動方向の左端側の記録領域を外れた位置に、キャリッジ２７のホームポジションＨＰ（図に破線で示す）が設定されており、このホームポジションＨＰにキャリッジ２７が停止したときに、印字ヘッド２８のノズル部を密封するキャップ手段１６，１７が設けられている。一方のキャップ手段１７には、図示しない吸引ポンプに連絡されるチューブ１８が装着され、吐出不良等が発生した場合などにノズル部のクリーニングを行なう。
【００３６】
図５は、インクジェット記録装置１００の制御部を示すブロック図である。この図において、システム制御部６０にはＣＰＵ６１のほか、ＲＯＭ６２，ＲＡＭ６３，不揮発性ＲＡＭ（ＮＶＲＡＭ）６４，スキャナ制御部６５，ＡＳＩＣ６６，Ｉ／Ｏ６７，ホストＩＦ６８等が含まれる。また、この図では、上述した動作電圧３７Ｖで駆動される部分と動作電圧２４Ｖで駆動される部分をそれぞれ枠で囲んで表している。
【００３７】
スキャナ制御部６５は画像読取部（スキャナ部）３を制御する。Ｉ／Ｏ６７には、前カバーセンサ３６、エンジンカバーセンサ３７及びサイドカバーセンサ３８の各センサ出力等が入力される。ホストインターフェース６８は、パソコン等の外部機器とデータ・制御信号のやりとりを行なう。また、ユーザがインクジェット記録装置１００を操作するための操作パネル５に対する入出力も制御部６０により行なわれる。
【００３８】
ヘッド駆動制御部７１は、ヘッドドライバを介してキャリッジ２７及び記録ヘッド（印字ヘッド）２８を制御する。主走査モータ駆動制御部７２は、主走査モータドライバを介して主走査モータ１２を制御し、キャリッジ２７の主走査方向への移動を制御する。副走査モータ駆動制御部７３は副走査モータドライバを介して副走査モータ１５を制御し、搬送ベルト２６等の副走査駆動部を制御する。
【００３９】
搬送モータ駆動制御部７４は、搬送モータドライバを介して搬送モータ７５を制御し、搬送ローラ２４や排紙ローラ２９の駆動を制御する。また、給紙クラッチ制御部７５は給紙クラッチ７６の接断を制御し、給紙ローラ２３の駆動を制御する。
【００４０】
ところで、装置本体の内部機構、例えば用紙搬送路においては、用紙搬送手段として拍車コロを用いる場合があり、ユーザがその拍車コロに触れた場合には指を挟まれて思わぬ怪我をすることが考えられる。また、インクジェットエンジン部ではその動作電圧により感電することも考えられる。したがって、これらの内部機構にユーザの手が届く場合、すなわち、装置に設けられたカバーを開放した時に内部機構にユーザの手が届く装置構成の場合には、ユーザの怪我を防止する必要がある。
【００４１】
そこで、本例のインクジェット複写装置１００では、前カバー５１を開けるとキャリッジ２７をホームポジションＨＰに戻す（戻す動作を開始する）とともに、２４Ｖ系（用紙搬送系）の電源をオフし、エンジン部を露出させるエンジンカバー５３が開けられると３７Ｖ系の電源をオフするように構成している。
【００４２】
図６は上記制御のフローチャートである。このフローチャートにおいて、前カバーセンサ３６がＯＦＦしたか否かを判断し（Ｓ１）、センサ３６がＯＦＦするとキャリッジ２７をホームポジションに戻し（Ｓ２）、用紙搬送系の２４Ｖ電源をＯＦＦする（Ｓ３）。次に、エンジンカバーセンサ３７がＯＦＦしたか否かを判断し（Ｓ４）、ＯＦＦでなければＳ４の前に戻り、ＯＦＦしたら３７Ｖ電源をＯＦＦする（Ｓ５）。
【００４３】
また本例では、前カバー５１と搬送カバー５２及びエンジンカバー５３の開閉動作に順序を設けており、前カバー５１を開けないと搬送カバー５２及びエンジンカバー５３を開けることができない（閉鎖時は逆に、搬送カバー５２及びエンジンカバー５３を先に閉めないと前カバー５１を閉鎖できない）ように構成している。したがって、電源のオフ動作に関してみた場合、用紙搬送系の２４Ｖ電源がオフした後にエンジン部の３７Ｖ電源がオフすることになる。さらに、搬送カバー５２を開けないとエンジンカバー５３を開放できない（閉鎖時は逆にエンジンカバー５３を先に閉めないと搬送カバー５２を閉鎖できない）ようになっている。
【００４４】
本例の装置構成では、前カバー５１を開けた場合、インクカートリッジ装着部３０が露出されるだけで可動部及び高電圧部にユーザの手が届くことは無く、危険は無い。一方、搬送カバー５２及びエンジンカバー５３を開けた場合は、エンジン２５の一部とその下流側の用紙搬送路が露出され、同部分にユーザの手が届くようになるが、上述のように、前カバー５１を開けると用紙搬送系の２４Ｖ電源がオフされるので、搬送ローラ２４等は停止され、搬送カバー５２を開けても手指を挟まれる等の危険は無い。さらに、エンジン２５では、前カバー５１が開けられるとキャリッジ２７のホームポジションＨＰへの帰還動作を開始し、エンジンカバー５３が開けられたことにより３７Ｖ電源をオフするので、エンジン部での感電の危険も防止される。
【００４５】
なお、ユーザが前カバー５１⇒搬送カバー５２⇒エンジンカバー５３の順序で各カバーを開放する間にキャリッジ２７はホームポジションＨＰへ戻っており、エンジンカバー５３の開放によって３７Ｖ電源をオフしても、キャリッジ２７がホームポジションＨＰに戻る前に電源が切れる心配は無い。カバー開放の順序付けをすることによって、キャリッジ２７がホームポジションＨＰに戻る時間を作り出しており、エンジン部の上方に位置するエンジンカバー５３が開放された時には、キャリッジ２７はホームポジションＨＰへ戻っている。
【００４６】
そして、キャリッジ２７がホームポジションＨＰに戻ることによって、印字ヘッド２８（図２）がキャップ手段１６，１７により密封されるので、エンジン部の３７Ｖ電源がオフされても印字ヘッドが露出したままとならず、ヘッドのノズル部の乾燥が防止される。
【００４７】
図７は、カバー開閉の順序付けの構成を説明するための部分拡大図である。
この図において、搬送カバー５２は、支軸５７（水平軸）を中心に回動可能に支持されている。また、前カバー５１は図示しない支軸（垂直軸）を中心に回動可能に支持されている。搬送カバー５２の前縁部（装置手前側辺）の右寄りの部分に、装置手前側に突き出した突出部５５（図に点線の楕円で囲んだ部分）が形成されている。一方、前カバー５１は箱状に形成されており、内側（装置奥側）に突き出た上辺部５１ａを有している。搬送カバー５２及び前カバー５１を閉じると、搬送カバー５２の突出部５５の上に前カバー５１の上辺部５１ａが重なり、図１に示される状態となる。すなわち、前カバー５１の上辺部５１ａの下に搬送カバー５２の突出部５５が入り込んだ状態である。
【００４８】
搬送カバー５２の前縁部（装置手前側辺）には、支軸５７の近傍に、下向き（搬送カバー５２を閉めたときに下向き）に突き出た押圧リブ５６が設けられている。また、搬送カバー５２の直ぐ下方に位置して回動リブ７が設けられている。この回動リブ７は、支軸８により装置フレームの前ステー６に取り付けられたものである。回動リブ７には２つの突出辺７ａと７ｂが形成されている。上側の突出辺７ａは、搬送カバー５２を閉めたときにその押圧リブ５６によって押され、回動リブ７を図７の状態から時計回りに回動させる。なお、搬送カバー５２が開放された状態では、押圧リブ５６は回動リブ７から離間しており、回動リブ７は図７に示す位置にある。
【００４９】
回動リブ７が図７に示す位置にあるとき、前カバー５１を閉めようとすると、前カバーに形成された突出棒（前カバー５１を閉めたときに装置奥側に向いて突出する棒状部材）５１ｂが回動リブ７の突出辺７ｂに突き当たり、前カバーが閉まらないようになっている。搬送カバー５２が閉められたことにより回動リブ７が図７に示す位置から図中時計回りに回動すると、突出辺７ｂが図の左方向に移動し、突出棒５１ｂが突き当たらなくなり、前カバー５１の閉鎖が可能となる。なお、回動リブ７は、補助ステー９（図３も参照）の内部に位置しており、搬送カバー５２の押圧リブ５６は、補助ステー９の上面に設けられた開口９ａから挿入されて回動リブ７の突出辺７ａを押圧する。また、前カバー５１の突出棒５１ｂは、補助ステー９の前面に設けられた開口９ｂから挿入されて回動リブ７の突出辺７ｂに突き当たる。回動リブ７が回動したとき、すなわち、搬送カバー５２が閉められたときには、前カバー５１の突出棒５１ｂは回動リブ７の突出辺７ｂに突き当たることなく補助ステー９の内部に進入して前カバー５１が閉鎖される。
【００５０】
上記のように構成されているため、前カバー５１，搬送カバー５２及びエンジンカバー５３が閉鎖された図１の状態において、エンジンカバー５３を最初に開けようとしても、手の掛けどころが無いため、エンジンカバー５３を開けることができない。また、搬送カバー５２を最初に開けようとしても、同じく手の掛けどころが無いため、搬送カバー５２を開けることができない。それに加えて、搬送カバー５２の前縁部に設けられた突出部５５が前カバー５１の上辺部５１ａによって上から押さえられているため、搬送カバー５２を開けることはできない。したがって、図１の状態からは、前カバー５１と搬送カバー５２及びエンジンカバー５３のうち、前カバー５１を最初に開けることが可能に構成されている。
【００５１】
前カバー５１を開けることにより搬送カバー５２の開放が可能となるので、用紙搬送系の電源（２４Ｖ）がＯＦＦしないうちに搬送カバー５２が開放されることがなく、危険を防止することができる。
【００５２】
図１の状態から前カバー５１を最初に開けると、補助ステー９の凹状部（図３参照）と搬送カバー５２の間とに形成された空間を利用して、搬送カバー５２の前縁部に手を掛けることができ、搬送カバー５２を２番目に（前カバー５１の次に）開けることができる。さらに、搬送カバー５２を開けると、エンジンカバー５３の左端部（排紙ローラ２９側の辺）に手を掛けることができ、エンジンカバー５３を最後に（搬送カバー５２の次に）開けることができる。
【００５３】
このように、前カバー５１と搬送カバー５２及びエンジンカバー５３の間に開放時の順序付けがなされているため、前カバー５１⇒搬送カバー５２⇒エンジンカバー５３の順序でしかカバーを開けることができず、前カバー５１の開放を検知することによりキャリッジ２７のホームポジションＨＰへの帰還を開始してやれば、エンジン部の上方に位置するエンジンカバー５３が開けられた時には、キャリッジ２７がホームポジションＨＰに戻っており、３７Ｖ電源をＯＦＦしても問題ない。これにより、３７Ｖ電源による感電の危険が防止されるとともに、印字ヘッドのノズルの乾燥も防止される。また、前カバー５１の開放を検知することにより２４Ｖ電源をＯＦＦするので、２番目の搬送カバー５２が開けられた時には用紙搬送路の搬送手段（搬送ローラ２４あるいは図示しない拍車コロ等）は停止しており、ユーザが手を挟まれて指などに怪我をする危険も防止される。
【００５４】
次に、各カバーを閉めるときの順序付けについて説明する。
搬送カバー５２とエンジンカバー５３は、両者の対向部（当接部）が、両カバーを閉じたときにエンジンカバー５３の先端部の上に搬送カバー５２の先端部が載った状態で閉鎖状態となるよう構成されているので、搬送カバー５２を先に閉めてしまうと、エンジンカバー５３が完全に閉まらなくなってしまう。したがって、エンジンカバー５３を先に閉めなければならない。
【００５５】
そして、搬送カバー５２と前カバー５１との間では、上記した回動リブ７を設けたことにより、前カバー５１を先に閉めることはできない。つまり、搬送カバー５２を閉めることによって前カバー５１の閉鎖が可能となるので、搬送カバー５２が閉められずに前カバー５１が閉められて用紙搬送系の電源がＯＮすることがなく、危険を防止することができる。
【００５６】
本例では、カバー閉鎖時の順序は、エンジンカバー５３⇒搬送カバー５２⇒前カバー５１となる。なお、仮に、搬送カバー５２⇒前カバー５１と閉鎖して、エンジンカバー５３が開放されたままでは、エンジンカバーセンサ３７がＯＦＦしており３７Ｖ電源がＯＦＦされたままなので、インクジェットエンジン部２５が動作しないため、危険は防止されている。
【００５７】
次に、サイドカバー５４（図１，３）を開放したときの制御について説明する。先に述べたように、サイドカバー５４を開放すると、給紙部２１からインクジェットエンジン２５までの用紙搬送路へアクセスでき、この部分でジャムが発生した場合は該サイドカバー５４を開放して処理を行なう。この部分の用紙搬送路においても指を挟まれる等の危険があるため、また、サイドカバー５４の開放によりエンジン部２５に手が届くため、サイドカバー５４が開けられたことをサイドカバー検知センサ３８により検知すると、キャリッジ２７のホームポジションＨＰへの帰還を開始するとともに、２４Ｖ電源をＯＦＦする。そして、所定時間（キャリッジ２７がホームポジションＨＰへ戻れる時間）後に３７Ｖ電源をＯＦＦする。これにより、サイドカバー５４を開放した時点で用紙搬送系に伴う危険が防止され、３７Ｖ電源をＯＦＦした時点で感電の危険も防止される。
【００５８】
以上、本発明を図示例により説明したが、本発明はこれに限定されるものではない。
例えば、キャリッジの移動はタイミングベルトに限らず、スクリュー移動方式でも構わない。また、インクの色数は本例の４色に限らず、任意の色数で構成できるものである。もちろん、インクカートリッジの数も同様であり、インク色数と同じ個数でも構わない。また、ヘッド数も任意である。さらに、インクジェットエンジン部における記録紙搬送方式は、本例の静電吸着ベルト方式に限らず、従来同様のローラ方式等任意の方式を採用しえるものである。また、給紙部の給紙トレイ・給紙カセットの段数なども任意である。カバーの開閉を検知するセンサも、例えば、マイクロスイッチやフォトセンサ等、任意の方式のものを採用可能である。
【００５９】
カバーの構成や設置場所あるいは数等も同様に任意である。例えば、装置の非可動部を覆うカバー（例えば、操作ボタンなどを覆うカバー）の開放を検知してキャリッジをホームポジションに戻すように構成しても良い。これによれば、その非可動部を覆うカバーに引き続いて用紙搬送部やエンジン部が露出された場合の危険を防止することができる。
【００６０】
また、用紙反転部を備えて両面記録が可能な構成において、その用紙反転部に設けられたカバーが開放された場合、上記実施例におけるサイドカバー５４を開放したときの制御と同様の制御をするように構成しても良い。
【００６１】
また、インクカートリッジ装着部の場所も上記実施例に限らず、任意の場所に設定可能である。そのインクカートリッジ装着部のカバーと他のカバーとに関連性を持たせた制御としても良い。すなわち、インクカートリッジ装着部のカバーが開けられたらキャリッジをホームポジションに戻すとともに２４Ｖ電源をＯＦＦし、他のカバー（例えば上記実施例のサイドカバー５４）が開けられたら３７Ｖ電源をＯＦＦする制御などが考えられる。そのほか、インクカートリッジ装着部のカバーと用紙反転部（両面部）に設けたカバーとで同様の制御を構成しても良い。
【００６２】
さらに、動作電圧についても２４Ｖ及び３７Ｖに限定されるものではなく、任意の電圧を使用可能である。３種類以上の電圧値を使用するものでも構わない。また、動作電圧が変動する場合にも本発明を適用可能である。
また、スキャナ部の構成や、ＡＤＦの有無等も任意である。画像形成装置としてはスキャナ部を有さないプリンタであっても良いし、もちろん、ＦＡＸ機能を備えていても良い。
【図面の簡単な説明】
【００６３】
【図１】本発明に係る記録装置の一例であるインクジェット複写装置の外観を示す斜視図である。
【図２】その内部構成を示す断面図である。
【図３】装置が備えるカバー類を開放した様子を示す斜視図である。
【図４】インクジェットエンジン部の正面図である。
【図５】インクジェット複写装置の制御部の構成を示すブロック図である。
【図６】キャリッジをホームポジションに戻す動作と電源ＯＦＦの制御を示すフローチャートである。
【図７】カバー開閉の順序付けの構成を説明するための部分拡大図である。
【符号の説明】
【００６４】
２              プリンタ部
３              スキャナ部
４              排紙部
７              回動リブ（移動可能な部材）
９              補助ステー
２４            搬送ローラ
２５            インクジェットエンジン
２７            キャリッジ
２８            印字ヘッド
３０            インクカートリッジ装着部
３５            インクカートリッジ
５１            前カバー
５２            搬送カバー
５３            エンジンカバー
５４            サイドカバー
１００          インクジェット複写装置
ＨＰ            ホームポジション
【図１】
2006062122.tif 000003
【図２】
2006062122.tif 000004
【図３】
2006062122.tif 000005
【図４】
2006062122.tif 000006
【図５】
2006062122.tif 000007
【図６】
2006062122.tif 000008
【図７】
2006062122.tif 000009